(57)【要約】【課題】封筒にシワが発生することを抑止する為に封筒の標準設定の置き方を縦置きとした場合においても、ユーザに多くの操作を強いることがなく、設定やセット方向を間違ってしまうことのないように、封筒のセット方向を操作表示部にて明確に示すことが可能な画像形成装置を実現することにある【解決手段】操作表示部に、使用可能な全ての封筒種類設定ボタンと、標準設定となるセット方向案内画像を示した上で、設定された封筒の種類に応じて、セット方向案内画像を切り替え、封筒の種類と指定されたセット方向に合わせて動作シーケンスも自動で設定されるようにする。【選択図】図１Ａ
2018020497.tif 000002
【特許請求の範囲】
【請求項１】
記録材を載置する載置部と、
前記載置部より搬送されてきた記録材に画像を形成する画像形成部と、
表示部と、
前記表示部を制御する制御部と、を有し、
前記制御部は、記録材として短辺が記録材搬送方向と実質平行となるように搬送されるべき封筒が選択されたことに応じて、前記載置部に載置すべき前記封筒の向きを案内する画像を前記表示部に表示させることを特徴とする画像形成装置。
【請求項２】
記録材を載置する載置部と、
前記載置部より搬送されてきた記録材に画像を形成する画像形成部と、
各種情報を表示させる操作表示部と、
制御部と、を有し、
記録材として、前記載置部に対して長辺側が縦向きになるように置く縦置きと長辺側が横向きになるように置く横置きの両方共にセット可能な封筒が使用可能で、かつ、横置きのみがセット可能な封筒も使用可能であり、封筒の標準設定の指定のセット方向が縦置きであり、かつ、前記操作表示部での封筒セット方向の案内画像の標準設定の方向が縦置きである画像形成装置において、
前記制御部は、横置きセットのみ使用可能な封筒を使用する際に、前記操作表示部での封筒種類選択ボタンの操作に応じて、前記操作表示部での封筒セット方向の案内画像を標準設定の縦置き画像から横置き画像に変更し、かつ、装置の動作シーケンスを横置き封筒用のシーケンスとすることを特徴とした画像形成装置。
【請求項３】
記録材を載置する載置部と、
前記載置部より搬送されてきた記録材に画像を形成する画像形成部と、
各種情報を表示させる操作表示部と、
制御部と、を有し、
記録材として、前記載置部に対して長辺側が縦向きになるように置く縦置きと長辺側が横向きになるように置く横置きの両方共にセット可能な封筒が使用可能で、かつ、横置きのみがセット可能な封筒も使用可能であり、封筒の標準設定の指定のセット方向が縦置きであり、かつ、前記操作表示部での封筒セット方向の案内画像の標準設定の方向が縦置きである画像形成装置において、
前記制御部は、縦置きと横置きいずれのセット方向でも使用可能な封筒を使用する際に、前記操作表示部での封筒種類選択ボタンを押す毎に、前記操作表示部での封筒セット方向の案内画を縦置き表示と横置き表示で切り替えることを特徴とした画像形成装置。
【請求項４】
前記載置部が手挿しトレイであることを特徴とした請求項１乃至３の何れか一項に記載の画像形成装置。
【請求項５】
前記載置部がカセットであることを特徴とした請求項１乃至３の何れか一項に記載の画像形成装置。
【発明の詳細な説明】
【技術分野】
【０００１】
本発明は、例えば、電子写真方式を採用した複写機やプリンタ、あるいはファクシミリ等のように記録材上に画像形成可能な画像形成装置に関する。
【背景技術】
【０００２】
ここで、記録材はトナー像等の画像が形成されるものであり、普通紙、普通紙の代用品である樹脂製のシート状のもの、厚紙、オーバーヘッドプロジェクター用、封筒、葉書などの各種の記録材種が含まれる。以下、記録材を用紙あるいは紙と記す。
【０００３】
従来、画像形成装置に用紙として封筒を通紙してこれに印字しようとする際には、画像形成装置の用紙を載置する載置部に封筒を縦送りとなるようにセットして通紙するものが主だった。
【０００４】
ここで、上記の載置部に対する封筒のセット方向と送り方向について図１５を用いて説明する。２０７は画像形成装置１の本体側面に設置されている、用紙を載置する載置部としての手挿しトレイであり、該トレイを鉛直方向上側から見た図（トレイの平面図）を示している。
【０００５】
（ａ）のように、手挿しトレイ２０７上に封筒Ｐを長辺側が横向きになるように置くセット方向を封筒Ｐの「横置き」としている。この時は、封筒Ｐの長辺が封筒搬送方向と一致することになる。この横置き封筒Ｐの送りを「縦送り」としている。
【０００６】
（ｂ）のように、手挿しトレイ２０７上に封筒Ｐを長辺側が縦向きになるように置くセット方向を封筒Ｐの「縦置き」としている。この時は、封筒Ｐの短辺が封筒搬送方向と一致することになる。この縦置き封筒の送りを「横送り」としている。
【０００７】
従って、前記の従来の画像形成装置において縦送りで封筒を通紙するための封筒のセットの仕方は、（ａ）のように、手挿しトレイ２０７へ封筒Ｐを横置きにセットするものであった。その為、画像形成装置の操作表示部において封筒のセット方向の案内画像を表示する場合、案内画像として表示される封筒のセット方向は、横置きを標準表示とするものが大半であった。
【０００８】
ところが、近年では、市場で様々な種類の封筒が使用されるようになった。そのため、封筒の種類によっては、通紙方向が（ａ）のような縦送りであるとシワが発生してしまう為、（ｂ）のように横送りをすること、つまりは手挿しトレイ２０７上に封筒Ｐを縦置きにセットした上で通紙するのを推奨する装置がでてきた。
【０００９】
加えて、封筒のサイズも多種に渡っている。このことから、画像形成装置で使用する封筒は、シワの観点で縦置きを推奨する封筒、横置き・縦置き共に使用可能な封筒、サイズ制限から横置きのみしか使用できない封筒など様々なものがあるような状況となっている。
【００１０】
従来では、特許文献１に示されるように、定着装置で発生させてしまう封筒のシワに対して、定着装置の加圧力を低減させてシワを抑止しようとするものなどがある。また、現在、実際に市場で使用されている画像形成装置において、封筒のセット方向を指示できるものがある。
【先行技術文献】
【特許文献】
【００１１】
【特許文献１】特開２００２−１３９９４８号公報
【発明の概要】
【発明が解決しようとする課題】
【００１２】
上記のような画像形成装置における封筒の使用方法と封筒のセット方向に関する説明を行う。即ち、ユーザ（使用者）が画像形成装置において、用紙（記録材）として封筒を使用しようとする際の、ユーザが行う操作と画像形成装置の処理について、図７Ａ・図７Ｂに示すフローチャートを用いて説明する。
【００１３】
封筒を使用する際は、操作表示部において、紙種設定から封筒を指定（Ｓ１〜Ｓ３）し、封筒の候補の中から実際に使用する封筒を選ぶ（Ｓ７）という操作が必要となる。ここから、使用する封筒を選ぶ（Ｓ７）為に必要な操作を下記述べる。封筒のセット方向指示を複数パターン有する画像形成装置においては、一例として、封筒種類選択ボタンとは別に、封筒のセット方向切替ボタンが備えられているものがある。
【００１４】
このような装置では、封筒種類を指定する前に、まず、使用しようとしている封筒が縦置きなのか横置きなのかに応じて、封筒のセット方向切替ボタンを押下して、縦置き／横置きの設定画面を切り替える必要がある（Ｓ１６，Ｓ１９）。この時、操作表示部で表示されている封筒セット方向の案内画像も、セット方向切替ボタンによる選択方向に従い、切替わるようになっている。
【００１５】
また、選択されたセット方向に応じて、使用可能な封筒の封筒種類設定ボタンが表示される。その為、いずれのセット方向も使用可能な封筒に関しては、縦置き／横置きの両方の画面に表示される。このとき、縦置き／横置きのいずれか一方のみしか使用できない（もしくは使用を推奨しない）封筒を使用する場合、セット方向切替ボタンを押して操作表示部の画面を遷移させた後、封筒種類選択ボタンで封筒の種類を決定する操作が必要である。
【００１６】
特に、標準として表示されるセット方向と違うセット方向で通紙が必要な封筒を使用する際には、標準として表示される画面に封筒種類設定ボタンが表示されていない。即ち、操作表示部の標準画面上のセット方向ガイド画像も行うべきセット方向とは違うガイド画像が表示されていることとなる。
【００１７】
先述のように、封筒シワ抑止の観点から縦置きセットを推奨方向としたい為、縦置きセットを標準設定としたい背景があるが、縦置きセットを標準設定とした場合、横置きのみ設定可能な封筒の封筒種類設定ボタンは操作表示部に表示すらされない。その上、操作表示部のセット方向ガイド画像もセット方向切替ボタンを押さない限り縦置きを示唆する画像が表示されたままである。
【００１８】
以上のように、封筒を使用する際にはユーザが２つの画面を遷移しながら使用する封筒種類を選択する必要があり、ユーザが行わなければならない操作が多くなる。また、使用する封筒をどこで設定すればいいのかが分かりにくい上、セット方向が直観的にわかりにくい、といった問題がある。特に、縦置き設定を標準設定とした場合、縦置きでは使用できない封筒もあり、上記問題が顕著になってしまう。その為、より簡易な方法で封筒種類の設定操作が行うことができ、かつ、セット方向を直観的にわかりやすく表示できることが望まれている。
【００１９】
本発明の目的は、封筒にシワが発生することを抑止する為に封筒の標準設定の置き方を縦置きとした場合においても、ユーザが行うべき操作が少なく、封筒設定に対するユーザのストレスを軽減できる画像形成装置を実現することにある。また、設定やセット方向を間違ってしまうことのないように封筒のセット方向を操作表示部にて明確に示すことが可能な画像形成装置を実現することにある。
【課題を解決するための手段】
【００２０】
上記の目的を達成するための本発明に係る画像形成装置の代表的な構成は、記録材を載置する載置部と、前記載置部より搬送されてきた記録材に画像を形成する画像形成部と、表示部と、前記表示部を制御する制御部と、を有し、前記制御部は、記録材として短辺が記録材搬送方向と実質平行となるように搬送されるべき封筒が選択されたことに応じて、前記載置部に載置すべき前記封筒の向きを案内する画像を前記表示部に表示させることを特徴とする。
【００２１】
上記の目的を達成するための本発明に係る画像形成装置の他の代表的な構成は、記録材を載置する載置部と、前記載置部より搬送されてきた記録材に画像を形成する画像形成部と、各種情報を表示させる操作表示部と、制御部と、を有し、記録材として、前記載置部に対して長辺側が搬送方向となる縦置きと短辺側が搬送方向となる横置きの両方共にセット可能な封筒が使用可能で、かつ、横置きのみがセット可能な封筒も使用可能であり、封筒の標準設定の指定のセット方向が縦置きであり、かつ、前記操作表示部での封筒セット方向の案内画像の標準設定の方向が縦置きである画像形成装置であって、前記制御部は、横置きセットのみ使用可能な封筒を使用する際に、前記操作表示部での封筒種類選択ボタンの操作に応じて、前記操作表示部での封筒セット方向の案内画像を標準設定の縦置き画像から横置き画像に変更し、かつ、装置の動作シーケンスを横置き封筒用のシーケンスとすることを特徴とする。
【００２２】
また、上記の目的を達成するための本発明に係る画像形成装置の更に他の代表的な構成は、記録材を載置する載置部と、前記載置部より搬送されてきた記録材に画像を形成する画像形成部と、各種情報を表示させる操作表示部と、制御部と、を有し、記録材として、前記載置部に対して長辺側が縦向きになるように置く縦置きと長辺側が横向きになるように置く横置きの両方共にセット可能な封筒が使用可能で、かつ、横置きのみがセット可能な封筒も使用可能であり、封筒の標準設定の指定のセット方向が縦置きであり、かつ、前記操作表示部での封筒セット方向の案内画像の標準設定の方向が縦置きである画像形成装置であって、前記制御部は、縦置きと横置きいずれのセット方向でも使用可能な封筒を使用する際に、前記操作表示部での封筒種類選択ボタンを押す毎に、前記操作表示部での封筒セット方向の案内画を縦置き表示と横置き表示で切り替えることを特徴とする。
【発明の効果】
【００２３】
本発明によれば、封筒にシワが発生することを抑止する為に封筒の標準設定の置き方を縦置きとした場合においても、ユーザが行うべき操作が少なく、封筒設定に対するユーザのストレスを軽減できる画像形成装置を実現することができる。また、設定やセット方向を間違ってしまうことのないように封筒のセット方向を操作表示部にて明確に示すことが可能な画像形成装置を実現することができる。
【図面の簡単な説明】
【００２４】
【図１Ａ】封筒使用時のフローチャート（その１）
【図１Ｂ】封筒使用時のフローチャート（その１）
【図２】制御系統のブロック図
【図３】操作部の上面図
【図４】封筒選択時の操作表示部の表示内容
【図５】（ａ）は横置き封筒選択時の表示内容、（ｂ）は縦置き封筒選択時の表示内容
【図６】（ａ）は置き方任意封筒選択時の表示内容（縦置き時）、（ｂ）は置き方任意封筒選択時の表示内容（横置き時）
【図７Ａ】従来技術における封筒使用時のフローチャート（その１）
【図７Ｂ】従来技術における封筒使用時のフローチャート（その２）
【図８Ａ】従来技術における封筒縦置きセットを標準設定としたときの封筒使用時のフローチャート（その１）
【図８Ｂ】従来技術における封筒縦置きセットを標準設定としたときの封筒使用時のフローチャート（その２）
【図９】従来技術における封筒選択時の操作表示部の表示内容（横置き時）
【図１０】従来技術における封筒選択時の操作表示部の表示内容（縦置き時）
【図１１】給紙段設定の際の操作表示部の表示内容
【図１２】用紙サイズ設定時の操作表示部の表示内容
【図１３】画像形成装置の概観図
【図１４】画像形成装置の概略断面図
【図１５】（ａ）は封筒の縦置きのセット方向を示した図、（ｂは）横置きのセット方向を示した図
【発明を実施するための形態】
【００２５】
《実施例》
次に図面を参照しながら、本発明の実施形態の具体例（実施例）を説明する。但し、あくまで実施形態の一例を示したものであり、本発明は以下の実施例に限定されるものではない。
【００２６】
（１）画像形成装置の概略構成
図１３は本実施例における画像形成装置１の概観図、図１４はその装置本体の内部の画像形成機構の概略図（概略断面図）である。この画像形成装置１は電子写真方式を採用した、タンデム型の４色フルカラー画像形成装置（複写機、プリンタ、ＦＡＸ、それらの複合機能機等）である。当該装置１は、大別して、制御部３００（図２）でそれぞれ制御される、操作部２００、原稿読取部（ドキュメントリーダ）３０３、画像形成部３０４、給紙部３０５を有する。
【００２７】
画像形成部３０４は、Ｙ（イエロ）、Ｍ（マゼンタ）、Ｃ（シアン）、Ｂｋ（ブラック）の各色の作像ユニット１ａ〜１ｄを備えている。各作像ユニット１ａ〜１ｄは何れも電子写真プロセス機構である。各作像ユニット１ａ〜１ｄの感光ドラムａ〜ｄはそれぞれ帯電器（不図示）によってあらかじめ帯電され、その後、レーザスキャナ６による露光によって潜像を形成される。潜像は現像器（不図示）によってトナー像になる。
【００２８】
感光ドラムａ〜ｄにそれぞれ形成されたＹ色、Ｍ色、Ｃ色、Ｂｋ色のトナー像は、一次転写ローラ２ａ〜２ｄによって中間転写ベルト２に順次に所定に重畳されて転写される。これにより、ベルト２の表面に上記４色重ね合わせのフルカラートナー像が形成される。
【００２９】
本実施例において給紙部３０５は給紙箇所（用紙を載置する載置部）として上下４段の給紙カセット４（Ａ〜Ｄ）および手挿し入トレイ（マルチパーパストレイ）２０７を有する。
【００３０】
給紙カセット４（Ａ〜Ｄ）はそれぞれ用紙Ｐが積載して収容され、画像形成装置本体の内部の所定の装着部に挿入されて使用される。また、画像形成装置本体の外部に引き出されて用紙の補充がなされる。
【００３１】
手挿しトレイ２０７は給紙カセット４とは別に設置された、用紙Ｐを画像形成装置に送り込むトレイであり、画像形成装置本体の側面に設置されている。この手挿しトレイ２０７は、特に、封筒、ＯＨＰなどの特殊紙や、使用頻度が低いものなどを用紙Ｐとして使用する場合に使用されることが多い。
【００３２】
そして、給紙部３０５の予め選択指定された給紙段の給紙カセット４もしくは手挿しトレイ２０７から用紙（記録材）Ｐから１枚分離給送されて給紙後搬送路４５を通り、レジストローラ対９に送り込まれる。レジストローラ対９は、用紙Ｐを一旦受け止めて、用紙Ｐが斜行している場合、真っ直ぐに直す。そして、レジストローラ対９は、ベルト２上に形成されたトナー像と同期を取って用紙Ｐをベルト２と二次転写ローラ３ａとの間に送り込む。ベルト２上のカラートナー像は二次転写ローラ３ａによって用紙Ｐに転写される。
【００３３】
その後、用紙Ｐは定着前搬送路３０を通り定着装置４０に導入されて加熱および加圧されることでトナー像が固着像として用紙Ｐに定着される。用紙Ｐの片面だけにトナー像を形成する場合（片面画像形成モード）は、定着装置４０を出た用紙Ｐは切り換えフラッパ４６の切り換えにより排紙ローラ１１を介して排紙トレイ１２に排出される。
【００３４】
用紙Ｐの両面にトナー像を形成する場合（両面画像形成モード）は、定着装置４０を出た片面画像形成済の用紙Ｐが排紙ローラ１１に搬送されてその用紙Ｐの後端が反転ポイント４２に達したとき、排紙ローラ１１の逆回転によってスイッチバック搬送される。尚、フラッパ４６、排紙ローラ１１のスイッチバック動作で構成される部分は、反転手段の一例である。
【００３５】
これにより用紙Ｐは両面搬送路４７に導入されて搬送され、表裏反転状態でレジストローラ対９の手前側において給紙後搬送路４５に再導入される。以後は、片面画像形成の場合と同様の過程を経て他方の面にトナー像が形成され両面画像形成物として排紙トレイ１２に排出される。
【００３６】
（２）操作部
図３は操作部２００の拡大模式図である。２０１は各種情報を表示させる操作表示部２０１である。この操作表示部２０１は、液晶上にタッチパネルシートが貼られており、操作画面およびソフトキーを表示するとともに、表示してあるキーが押されるとその位置情報を制御部３００（図２）のコントローラ３０１に伝える。
【００３７】
図２にブロック図を示したように、操作表示部２０１からコントローラ３０１に伝えられた指示によって、コントローラ３０１とエンジン制御部３０２が通信を行う。そして、エンジン制御部３０２によって指示された動作シーケンスに従い、画像形成装置１の原稿読取部３０３、画像形成部３０４、給紙部３０５といった箇所が動作を行う。
【００３８】
操作部２００が有するキーボード２０２は、スタートキー２０３やストップキー２０４、テンキー２０５のようなものからなる。スタートキー２０３は、原稿画像の読み取り動作の開始を指示する場合などに用いられる。ストップキー２０４は稼働中の動作を止める働きをする。テンキー２０５は、数字と文字のボタン群で構成されており、コピー部数の設定や、操作表示部２０１の画面切り替え等を指示する。
【００３９】
ユーザモードキー２０６は、画像形成装置１の設定を行う場合に押下されるものであり、このキー２０６が押下されると、ユーザモード画面が表示されるものである。ユーザモード画面の中には用紙設定の項目が存在する。用紙設定の項目を指定すると、操作表示部２０１に図１１のような画面が表示される。これは、給紙段選択画面であり、給紙段選択ボタン１０６があり、このいずれかを押すことで任意の給紙段（手挿トレイ２０７も含む）を選択することが出来る。
【００４０】
指定した給紙段で使用する紙種を選択するには、給紙段を選択した後、設定ボタン１０７を押し、用紙設定の画面で選択する必要がある。この時表示される、用紙設定画面は、図１２のようなものであり、この画面では、使用できる紙サイズが列記されている。
【００４１】
（３）封筒の使用
ここからは、用紙として封筒を使用しようとした場合について記載する。封筒は１枚の紙を折ってなる、袋状の記録メディアである。そのため、封筒を通紙すると、定着装置４０から熱が付与されることによる水分の蒸発や、封筒をニップ搬送する際の圧力分布に伴う長手方向搬送分布、封筒のねじれ、封筒の表裏の速度差などの理由により、シワが発生することがある。封筒にシワが発生することを抑止する為に、手挿しトレイ２０７上に封筒を縦置きセットした上で通紙することを指定しているものがある。
【００４２】
用紙として封筒を指定する場合の、処理内容と操作部２００の操作表示部２０１の表示内容について、フローチャートと図を用いて説明を行う。図１Ａ、図１Ｂが本実施例におけるフローチャートである。
【００４３】
先述の図１１の給紙段選択画面で給紙段として手挿しトレイ２０７を選択し、更に図１２の用紙設定画面を表示し（Ｓ１）、封筒指定ボタン１１１を押下する（Ｓ２，Ｓ３）と、図４のような封筒種類設定画面が表示される（Ｓ４）。封筒種類設定画面には、封筒種類設定ボタン１０１があり、この中から使用する封筒種類のボタンを押下して、封筒種類を指定する（Ｓ７）。指定した封筒を手挿しトレイ２０７上にセットし（Ｓ１０）、スタートボタンを押下する（Ｓ１２）と、指定された封筒種類の情報を元に、画像形成装置の動作シーケンスが指示され（Ｓ１４）、印刷ジョブが実行される（Ｓ１５）。
【００４４】
従来は、図７Ａ、図７Ｂにフローチャートを示すように、封筒指定ボタン１１１を押下する（Ｓ３）と、封筒セット方向として横置きが標準設定されていて、図９のような横置き封筒設定画面が表示（Ｓ４，Ｓ５，Ｓ６）されるようになっていた。この時、横置きで使用する封筒（例えば角形２号の封筒）を使用する際は、封筒種類設定ボタン１０１の中から角形２号のボタンを押下し（Ｓ７）、設定すればよい。
【００４５】
しかし、縦置き指定の封筒（例えば長形３号）を指定する際は、１度セット方向切替ボタン１０２を押下する（Ｓ１６）。そして、図９の横置き封筒設定画面から図１０のような縦置き封筒設定画面へ移動（Ｓ１７，Ｓ１８）した後に、封筒種類設定ボタン１０１の中から長形３号のボタンを押し下げて封筒種類を設定する（Ｓ７）必要があった。
【００４６】
また、上述した封筒シワの観点から、封筒セット方向の標準設定を縦置きとすると、フローチャートが図８Ａ、図８Ｂに示す通りとなる。即ち、封筒指定ボタン１１１が押下（Ｓ３）されると、図１０のような縦置き封筒設定画面が操作指示部に表示（Ｓ４，Ｓ５，Ｓ６）される。また、セット方向切替ボタン１０２を押下する（Ｓ１６）と、図９のような横置き封筒設定画面が表示されるようになる（Ｓ１７，Ｓ１８）。
【００４７】
このとき、図９、図１０で示すように、横置きで使用する角形２号のような封筒の封筒種類設定ボタン１０１は、セット方向切替ボタン１０２を押下するまでは、封筒種類設定ボタン１０１の候補の中に表示されない。そのため、ユーザが封筒設定するまでに操作に迷ったり、間違った封筒設定をしてしまったりすることが想定される。
【００４８】
そこで、本実施例では、図１Ａ、図１Ｂにフローチャートを示すように、前述の封筒指定ボタン１１１が押下される（Ｓ３）と、図４のような封筒設定画面が表示される（Ｓ４）ようになっている。この画面には標準設定の封筒のセット方向である縦置きを示す案内画像１０５と、通紙可能な全ての封筒の封筒種類設定ボタン１０１が表示されている（Ｓ５，Ｓ６）。
【００４９】
封筒種類設定ボタン１０１の中から、縦置き推奨の封筒（例として『長形３号』として記載する）を指定する（Ｓ７）と、図５の（ｂ）のような表示となる。即ち、操作表示部に表示される封筒セット方向の案内画像１０５は、縦置きを指示する画像が表示されたままである。
【００５０】
また、封筒種類設定ボタン１０１の中から、横置き設定のみ可能な封筒（例として『角形２号』として記載する）を指定すると、図５の（ａ）のような表示となる。即ち、操作表示部２０３における封筒セット方向の案内画像１０５は、横置きを指示する画面に切り替わる（Ｓ９）。
【００５１】
ユーザは、『長形３号』の封筒を使用する際も、『角型２号』の封筒を使用する際も、封筒種類設定ボタン１０１で使用する封筒を指定し、その際に表示される封筒セット方向の案内画像１０５に従い、封筒をセットする（Ｓ１０）。そして、スタートボタン２０３を押下（Ｓ１２）すればよい。これによって、画像形成装置では、指定した封筒種類とセット方向に応じた動作シーケンスが指示され（Ｓ１４）、指定された封筒に応じた印刷ジョブが実行される（Ｓ１５）。
【００５２】
上記の画像形成装置の特徴構成をまとめると次のとおりである。用紙（記録材）を載置する載置部２０７・３０５と、その載置部より搬送されてきた用紙に画像を形成する画像形成部３０４と、表示部２０１と、表示部を制御する制御部３００と、を有する。そして、制御部３００は、用紙として短辺が用紙搬送方向（記録材搬送方向）と実質平行となるように搬送されるべき封筒が選択されたことに応じて、載置部に載置すべき封筒の向きを案内する画像を表示部に表示させる。即ち、封筒の選択に応じて載置部に対する封筒の載置の向きを表示部（操作部）にユーザが混乱しないようにガイダンス表示するものである。
【００５３】
また、上記の画像形成装置と制御の特徴構成をまとめると次のとおりである。用紙Ｐとして、手挿しトレイ２０７に対して長辺側が縦向きになるように置く縦置きと長辺側が横向きになるように置く横置きの両方共にセット可能な封筒が使用可能である。かつ、横置きのみがセット可能な封筒も使用可能である。また、封筒の標準設定の指定のセット方向が縦置きであり、かつ、操作表示部２０１での封筒セット方向の案内画像１０５の標準設定の方向が縦置きである。
【００５４】
制御部３００は、横置きセットのみ使用可能な封筒を使用する際に、操作表示部２０１での封筒種類選択ボタン１０１の操作に応じて、操作表示部２０１での封筒セット方向の案内画像１０５を標準設定の縦置き画像から横置き画像に変更する。かつ、装置の動作シーケンスを横置き封筒用のシーケンスとする。
【００５５】
また、縦置きでも横置きでも設定可能な封筒（例として『洋形長３号』として記載）を使用する際は、封筒指定ボタン１１１が押下される（Ｓ３）と、まず図６の（ａ）のような封筒設定画面が表示される（Ｓ４）。この画面には、上述の『長形３号』の時と同じく、封筒のセット方向を示す案内画像１０５は縦置きを表示している（Ｓ５）。
【００５６】
この時に、封筒種類選択ボタン１０１の中から『洋形長３号』を再度押下すると、図６の（ｂ）のようにセット方向の案内画像１０５が縦置きから横置き表示に切り替わる（Ｓ２１，Ｓ９）。合わせて、その後、印刷ジョブ実行時に選択される動作シーケンスもその時設定された封筒種類とセット方向に応じて切り替わる（Ｓ１４）。即ち、制御部３００は、縦置きと横置きいずれのセット方向でも使用可能な封筒を使用する際に、操作表示部２０１での封筒種類選択ボタン１０１を押す毎に、操作表示部２０１での封筒セット方向の案内画１０５を縦置き表示と横置き表示で切り替える。
【００５７】
その為、ユーザが『洋形長３号』を使用する際も、封筒種類設定ボタン１０１で使用する封筒を指定し、その際に表示される封筒セット方向の案内画像１０５に従い、封筒をセットし（Ｓ１０）、スタートボタン２０３を押下（Ｓ１２）すればよい。
【００５８】
『洋形長３号』を横置きで使用したい場合は、使用する封筒を指定する際に、封筒種類設定ボタン１０１の中から『洋形長３号』を再度押下して（Ｓ２１）、セット方向を切り替えればよい。この操作以外は、縦置きで使用する際と同様の操作を行えばよい。
【００５９】
上記のいずれの場合においても、ユーザが封筒を使用する為に行った操作は、封筒種類選択ボタンによる封筒種類の選択と、それに応じて表示されたガイド画像に従って用紙をセットし、スタートボタンを押下するのみである。
【００６０】
その為、従来のようにセット方向切替ボタン１０２を押下して画面を切り替えて封筒種類を指定していたものと比較して、ユーザが行わなければならない操作を少なくすることができる。
【００６１】
封筒にシワが発生することを抑止する為に、封筒の標準設定の指定のセット方向を縦置きとした場合においても、横置きセットだけが可能な封筒を使用する際は封筒種類選択ボタンの操作に応じて、操作表示部の表示を切替える。即ち、封筒セット方向の案内表示を横置き表示へと切替え、かつ、動作シーケンスを横置き用の動作シーケンスとする。
【００６２】
また、縦置き・横置きいずれのセット方向でも使用可能な封筒を使用する際は、封筒種類選択ボタンを操作する度に、操作表示部の封筒セット方向の表示を縦置き／横置きを切り替え表示する。
【００６３】
上記構成とすることで、ユーザが封筒を使用する際に操作表示部にて行わなければならない操作は、封筒種類選択ボタンを操作することのみとすることができる。かつ、選択した封筒種類に応じて操作表示部に表示された方向に従って封筒を用紙トレイにセットすればよい為、わかりやすく簡単な操作のみで封筒を使用することが可能となる。
【００６４】
《その他の事項》
（１）実施例では封筒の載置部を手挿しトレイ２０７としているが、封筒の載置部はカセット４であってもよい。
【００６５】
（２）画像形成装置１の画像形成部３０４は実施例の電子写真方式に限られない。静電記録方式、磁気記録方式、インクジェット方式など適宜の作像原理・プロセスの画像形成部にすることができる。
【符号の説明】
【００６６】
１・・画像形成装置、３０４・・画像形成部、３０５・・記録材を載置する載置部、２０７・・手挿しトレイ、Ｐ・・記録材（封筒）、２００・・操作部、２０１・・操作表示部、３００・・制御部、１０１・・封筒種類選択ボタン、１０５・・案内画像
【図１Ａ】
2018020497.tif 000003
【図１Ｂ】
2018020497.tif 000004
【図２】
2018020497.tif 000005
【図３】
2018020497.tif 000006
【図４】
2018020497.tif 000007
【図５】
2018020497.tif 000008
【図６】
2018020497.tif 000009
【図７Ａ】
2018020497.tif 000010
【図７Ｂ】
2018020497.tif 000011
【図８Ａ】
2018020497.tif 000012
【図８Ｂ】
2018020497.tif 000013
【図９】
2018020497.tif 000014
【図１０】
2018020497.tif 000015
【図１１】
2018020497.tif 000016
【図１２】
2018020497.tif 000017
【図１３】
2018020497.tif 000018
【図１４】
2018020497.tif 000019
【図１５】
2018020497.tif 000020